(57)【要約】【課題】  無線セキュリティ装置において、警戒中の消費電力を低減する。【解決手段】  無線センサ１０を、異常を検出するセンサ部１１と、無線ゲートウェイとの間で双方向の通信を行う送受信回路１４と、センサ部１１の電源をオンオフするスイッチ１６と、送受信回路１４の電源をオンオフするスイッチ１７とから構成する。送受信回路１４は、センサ部１１の検出した異常の情報を無線ゲートウェイ２０に送信し、無線ゲートウェイ２０から送信されてくる情報を受信する。警戒時には、スイッチ１６はオンとされ、スイッチ１７はオフとされる。警戒時にセンサ部１１が異常を検出したときには、スイッチ１７がオンとされて、センサ部１１の検出した異常が送受信回路１４により無線ゲートウェイ２０に送信され、この送信後、送受信回路１４が無線ゲートウェイ２０から送信されてくる確認応答を受信したときには、スイッチ１７がオフとされる。【選択図】  図１
2005190033.tif 000002
【特許請求の範囲】
【請求項１】
侵入者あるいは出火などの異常を検出したとき、その情報を電波により送信する無線センサと、上記送信されてきた情報を受信する無線ゲートウェイと、この無線ゲートウェイの受信した上記情報にしたがってあらかじめ設定してある相手に上記異常を通知する通報装置とからなる無線セキュリティ装置において、
上記無線センサは、
上記異常を検出するセンサ部と、
上記無線ゲートウェイとの間で双方向の通信を行う送受信回路と、
上記センサ部の電源をオンオフする第１のスイッチと、
上記送受信回路の電源をオンオフする第２のスイッチと
を有し、
上記送受信回路は、上記センサ部の検出した異常の情報を上記無線ゲートウェイに電波により送信するとともに、上記無線ゲートウェイから電波により送信されてくる情報を受信するものとされ、
警戒時には、上記第１のスイッチはオンとされるとともに、上記第２のスイッチはオフとされ、
上記警戒時に上記センサ部が異常を検出したときには、上記第２のスイッチがオンとされて、上記センサ部の検出した異常が上記送受信回路により上記無線ゲートウェイに送信され、
この送信後、上記送受信回路が上記無線ゲートウェイから送信されてくる確認応答を受信したときには、上記第２のスイッチがオフとされる
ようにした無線セキュリティ装置。
【請求項２】
請求項１に記載の無線セキュリティ装置において、
上記送信後、上記無線ゲートウェイから警戒の解除を指示するコマンドが送信されてきたときには、上記第１のスイッチがオフとされるとともに、上記第２のスイッチがオンとされて上記送受信回路の受信が許可されて上記無線センサが警戒の解除モードに遷移する
ようにした無線セキュリティ装置。
【請求項３】
請求項２に記載の無線セキュリティ装置において、
上記無線センサが上記警戒の解除モードの場合に、上記無線ゲートウェイから警戒の実行を指示するコマンドが送信されてきたときには、上記第１のスイッチがオンとされるとともに、上記第２のスイッチがオフとされる
ようにした無線セキュリティ装置。
【発明の詳細な説明】
【技術分野】
【０００１】
この発明は無線セキュリティ装置に関する。
【背景技術】
【０００２】
一般に、セキュリティ装置は、侵入者や出火などの異常を検出したとき、これを電話回線などを通じてあらかじめ設定されている通報先、例えば警察や消防署などに通報するようにされている。そして、そのようなセキュリティ装置として無線方式のものがある。この無線セキュリティ装置は、例えば図２に示すように、複数の無線センサ１０と、無線ゲートウェイ２０と、通報装置３０とから構成される。
【０００３】
無線センサ１０は、侵入者や出火などの異常を検出するセンサ部１１と、このセンサ部１１の出力にしたがって所定の処理を行う制御回路１２と、異常の発生したことを電波により送信する送信回路１３とから構成されている。この場合、制御回路１２は、センサ部１１が異常を検出したとき、その異常の種類を示すデータや無線センサ１０を識別するための識別コードなどの情報を送信回路１３に供給するものである。そして、無線センサ１０は異常を検出すべき任意の場所に設置される。
【０００４】
さらに、無線ゲートウェイ２０は、無線センサ１０のすべてに対して共通とされ、無線センサ１０が送信した情報を受信して通報装置３０に供給するものである。また、通報装置３０は、無線ゲートウェイ２０から送信されてきた情報にしたがって、あらかじめ設定されている通報先に電話回線４０などを通じて異常を通報するものである。さらに、通報装置３０は、このセキュリティ装置による警戒を実行あるいは解除するための警戒スイッチ３１を有する。
【０００５】
そして、無線センサ１０のうちの任意の無線センサ１０ｉにおいて、センサ部１１が異常を検出すると、その検出出力にしたがって制御回路１２により送信回路１３の電源がオフからオンとされるとともに、異常の種類および無線センサ１０ｉの識別コードが制御回路１２から送信回路１３に供給され、無線ゲートウェイ２０へと送信される。この送信された情報は無線ゲートウェイ２０により受信され、さらに通報装置３０に供給される。
【０００６】
すると、通報装置３０においては、警戒スイッチ３１が異常の通報を実行するモードに設定されているときには、無線センサ１０ｉから送られてきた情報にしたがって、無線センサ１０ｉが検出した異常に対応する通報先に異常の発生を通報する。なお、無線センサ１０ｉが異常を検出した場合に、警戒スイッチ３１が異常の通報を解除するモードに設定されているときには、通報装置３０は何も実行しない。
【０００７】
上記の技術に関連する資料として、例えば下記の文献がある。
【特許文献１】特開２００１−３０２１２３号公報
【発明の開示】
【発明が解決しようとする課題】
【０００８】
上述の無線セキュリティ装置の場合、無線センサ１０と無線ゲートウェイ２０との間の通信は、無線センサ１０は送信だけで、無線ゲートウェイ２０は受信だけの単向単信発信方式である。そして、無線センサ１０から無線ゲートウェイ２０への通信は雑音波などの妨害により失敗する可能性がある。このため、通常、無線センサ１０は、異常を検出して送信を行う場合、その送信を十分な期間にわたって複数回繰り返すようにされている。
【０００９】
しかし、そのようにすると、次のような問題を生じてしまう。すなわち、
(1) 異常の検出の送達を確認できないので、信頼性に不安がある。  
(2) 複数回の送信を行うので、フィールドに無駄な電波を放射することになる。  
(3) 複数回の送信を行うので、複数の無線センサが動作した場合、それぞれの送信期間が重なることがあり、相互に妨害となってしまう。  
(4) 通報装置が警戒を解除している場合でも、無線センサは何度も送信を繰り返してしまう。
【００１０】
その点、無線ゲートウェイ２０に送信機能を持たせるとともに、無線センサ１０に受信機能を持たせ、無線ゲートウェイ２０が無線センサ１０からの電波を受信したら確認の信号を送信し、これを無線センサ１０が受信したら送信を停止するような構成とすれば、上記の問題は解決できる。しかし、その場合には、無線センサ１０の消費電力が大きくなり、実用性がなくなってしまう。
【００１１】
この発明は、以上のような問題点を解決しようとするものである。
【課題を解決するための手段】
【００１２】
この発明においては、
侵入者あるいは出火などの異常を検出したとき、その情報を電波により送信する無線センサと、上記送信されてきた情報を受信する無線ゲートウェイと、この無線ゲートウェイの受信した上記情報にしたがってあらかじめ設定してある相手に上記異常を通知する通報装置とからなる無線セキュリティ装置において、
上記無線センサは、
上記異常を検出するセンサ部と、
上記無線ゲートウェイとの間で双方向の通信を行う送受信回路と、
上記センサ部の電源をオンオフする第１のスイッチと、
上記送受信回路の電源をオンオフする第２のスイッチと
を有し、
上記送受信回路は、上記センサ部の検出した異常の情報を上記無線ゲートウェイに電波により送信するとともに、上記無線ゲートウェイから電波により送信されてくる情報を受信するものとされ、
警戒時には、上記第１のスイッチはオンとされるとともに、上記第２のスイッチはオフとされ、
上記警戒時に上記センサ部が異常を検出したときには、上記第２のスイッチがオンとされて、上記センサ部の検出した異常が上記送受信回路により上記無線ゲートウェイに送信され、
この送信後、上記送受信回路が上記無線ゲートウェイから送信されてくる確認応答を受信したときには、上記第２のスイッチがオフとされる
ようにした無線セキュリティ装置
とするものである。
【発明の効果】
【００１３】
この発明によれば、上記(1)〜(4)の問題を解決できるとともに、無線センサの送受信回路は、通報装置側との通信が必要なときのみ電源がオンになるので、消費電力を低減することができる。
【発明を実施するための最良の形態】
【００１４】
図１は、この発明によるセキュリティ装置の一例を全体として示し、これは、複数の無線センサ１０と、無線ゲートウェイ２０と、通報装置３０とから構成される。
【００１５】
無線センサ１０は、侵入者や出火などの異常を検出するセンサ部１１と、そのセンサ部１１の出力にしたがって所定の処理を行う制御回路１２と、異常の発生したことを電波により送信するとともに、無線ゲートウェイ２０からの電波を受信する送受信回路１４とから構成される。この場合、制御回路１２は、センサ部１１が異常を検出したとき、その異常の種類を示すデータや無線センサ１０を識別するための識別コードなどの情報を送受信回路１４に供給するものである。そして、無線センサ１０は異常を検出すべき任意の場所に設置される。
【００１６】
さらに、無線センサ１０は、センサ部１１、制御回路１２および送受信回路１４にそれらの動作電圧を供給するための電源回路１５を有する。そして、電源回路１５が、制御回路１２の電源ラインに接続されるとともに、常開スイッチ１６を通じてセンサ部１１の電源ラインに接続される。さらに、電源回路１５は、常開スイッチ１７を通じて送受信回路１４の電源ラインに接続される。この場合、常開スイッチ１６、１７は、例えばリレーの接点あるいはトランジスタなどの電子スイッチにより構成され、制御回路１２により独立にオンオフ制御されるものである。
【００１７】
そして、無線ゲートウェイ２０は、無線センサ１０のすべてに対して共通とされ、無線センサ１０が送信した情報を受信して通報装置３０に供給するものである。また、通報装置３０は、無線ゲートウェイ２０との間で必要な情報のやりとりを行い、無線ゲートウェイ２０から通知されてきた情報にしたがって、あらかじめ設定されている通報先に電話回線４０などを通じて異常を通報するものである。さらに、通報装置３０は、このセキュリティ装置による警戒を実行あるいは解除するための警戒スイッチ３１を有する。
【００１８】
そして、この警戒スイッチ３１の設定にしたがって、次のような処理が行われる。
【００１９】
〔１〕  警戒の解除状態（解除モード）
これは、警戒スイッチ３１が警戒の解除モードとされている場合である。この場合には、後述するように、無線センサ１０においては、制御回路１２によりスイッチ１６はオフとされてセンサ部１１は動作不能状態とされているが、スイッチ１７はオンとされて送受信回路１４は動作可能状態とされている。ただし、このとき、送受信回路１４は制御回路１２により送信は禁止され、受信だけが許可されている。
【００２０】
〔２〕  警戒の開始
これは、〔１〕の警戒の解除モードの状態で、警戒スイッチ３１を警戒の解除モードから警戒を実行する警戒モードに切り換えたときである。この切り換え時には、無線ゲートウェイ２０から無線センサ１０に、警戒の開始を指示する「警戒開始コマンド」が送信される。すると、このとき、無線センサ１０の送受信回路１４は電源がオンであるとともに、受信が許可されているので、無線ゲートウェイ２０からの「警戒開始コマンド」が送受信回路１４により受信され、制御回路１２に供給される。
【００２１】
この結果、制御回路１２は、スイッチ１６をオフからオンとしてセンサ部１１を動作可能状態とするとともに、送受信回路１４の送信を許可し、無線ゲートウェイ２０にセンサ部１１が動作可能状態となったことを通知する。そして、その後、制御回路１２は、スイッチ１７をオフとして送受信回路１４の電源をオフとする。
【００２２】
すなわち、警戒スイッチ３１を警戒の解除から警戒の実行に切り換えると、無線センサ１０においては、センサ部１１が有効になるとともに、送受信回路１４の電源はオフとされて節電がはかられる。
【００２３】
〔３〕  警戒中（警戒モード）
これは、〔２〕の警戒の開始に続く状態であり、警戒スイッチ３１が警戒を実行する警戒モードとされている場合である。この警戒モードの場合には、センサ部１１の電源がオンとされているので、異常が発生し、これが例えば無線センサ１０ｉのセンサ部１１により検出されると、その検出出力が制御回路１２に供給される。
【００２４】
すると、制御回路１２によりスイッチ１７がオンとされて送受信回路１４に動作電圧が供給されるとともに、送信および受信が許可される。そして、制御回路１２から送信回路１３に異常の種類および無線センサ１０ｉの識別コードが供給され、無線ゲートウェイ２０へと送信される。この送信された情報は無線ゲートウェイ２０により受信されるが、無線ゲートウェイ２０はその情報を受信すると、この受信を示す確認応答ACKを無線センサ１０ｉに送信する。
【００２５】
そして、その無線ゲートウェイ２０からの確認応答ACKが、無線センサ１０ｉの送受信回路１４により受信されて制御回路１２に供給されると、制御回路１２によりスイッチ１７がオフとされ、したがって、以後、無線センサ１０ｉは再び警戒中となる。
【００２６】
一方、無線ゲートウェイ２０においては、無線センサ１０ｉに確認応答ACKを送信するとともに、無線センサ１０ｉから送信されてきた異常の種類および識別コードを通報装置３０に供給する。
【００２７】
すると、通報装置３０においては、警戒スイッチ３１が警戒を実行するモードに設定されているので、無線センサ１０ｉから送られてきた情報にしたがって、無線センサ１０ｉが検出した異常に対応する通報先に異常の発生を通報する。
【００２８】
こうして、無線センサ１０ｉは警戒中に異常を検出すると、これを無線ゲートウェイ２０に送信するとともに、無線ゲートウェイ２０がその送信を確認するまで送信を繰り返し、確認すると、送信を停止して異常の検出前の状態となる。
【００２９】
この警戒モードでは、送受信回路１４は電源がオフとされているので、消費電力を最小に抑えることができる。
【００３０】
〔４〕  警戒の解除
これは、〔３〕の警戒モードの状態で、警戒スイッチ３１を警戒モードから警戒の解除モードに切り換えたときである。この切り換えにより、以後、通報装置３０は、無線センサ１０から異常を通知してきても、通報を行わない状態に入る。すなわち、通報装置３０は、警報の解除モードに遷移する。なお、このとき、通報装置３０は、無線ゲートウェイ２０に解除モードに遷移したことを通知する。
【００３１】
一方、このとき、無線センサ１０は、〔３〕で述べたように送受信回路１４の電源がオフとされているので、仮に通報装置３０が解除モードに遷移したことを、通無線ゲートウェイ２０を通じて無線センサ１０に送信しても、無線センサ１０はその通知を受信することはない。つまり、この時点では、無線センサ１０は、通報装置３０が解除モードに遷移したことを知らない。
【００３２】
したがって、この状態でも、無線センサ１０ｉのセンサ部１１が異常を検出すると、〔３〕で述べたように送受信回路１４の電源がオンとされ、異常の情報が無線ゲートウェイ２０へと送信される。
【００３３】
すると、無線ゲートウェイ２０は、通報装置３０が解除モードに遷移していることを知っているので、無線ゲートウェイ２０は、無線センサ１０ｉに警戒の解除を指示する「警戒解除コマンド」を送信する。そして、無線センサ１０ｉは、この警戒解除コマンドを受信すると、制御回路１２は、スイッチ１６をオフとしてセンサ部１１の電源をオフとし、さらに、スイッチ１７をオンとして送受信回路１４の電源をオンにするとともに、受信だけを許可する。この状態が、無線センサ１０の解除モードであり、〔１〕の状態である。
【００３４】
つまり、警戒スイッチ３１を警戒の解除モードに切り換えると、通報装置３０は、ただちに警報の解除モードに遷移し、無線センサ１０は、異常を検出したときに、警戒解除モードに遷移する。
【００３５】
こうして、上述の無線セキュリティ装置においては、警戒スイッチ３１の設定にしたがって、〔１〕〜〔４〕の処理が行われる。そして、その場合、無線センサ１０は、無線ゲートウェイ２０からの情報を受信できるので、(1)〜(4)の問題を解決できる。しかも、送受信回路１４は、無線ゲートウェイ２０との間で通信が必要なときのみ電源がオンになるので、消費電力を低減することができる。
【００３６】
なお、上述においては、〔２〕において、無線ゲートウェイ２０からの「警戒開始コマンド」を受信すると、センサ部１１の電源をオンにするとともに、送受信回路１４の送信を許可してセンサ部１１が動作状態となったことを無線ゲートウェイ２０に通知し、その後、送受信回路１４の電源をオフにするとしたが、無線ゲートウェイ２０からの「警戒開始コマンド」を受信すると、スイッチ１６をオンにしてセンサ部１１を動作状態にしたのち、直ちにスイッチ１７をオフにして送受信回路１４の電源をオフとすることもでき、そのようにすれば、電源の消費をより低減することができる。
【００３７】
また、無線センサ１０ｉやその設置場所のトラブルなどにより、〔３〕の警戒中（警戒モード）に、無線センサ１０ｉがたびたび異常を通知するような場合、無線ゲートウェイ２０から無線センサ１０ｉに「警戒解除コマンド」を送信して無線センサ１０ｉだけを解除モードに遷移させることもできる。
【００３８】
さらに、〔４〕において、無線センサ１０ｉが異常を無線ゲートウェイ２０に送信したとき、無線ゲートウェイ２０から無線センサ１０ｉに、警戒の解除を指示する「警戒解除コマンド」を送信するとしたが、何も送信しないようにするとともに、無線センサ１０ｉは、異常を無線ゲートウェイ２０に送信しても、設定した期間内に確認応答ACKが送信されてこないときには、センサ部１１の電源をオフとし、送受信回路１４の電源をオンにするとともに、受信だけを許可するようにしてもよい。
【００３９】
また、上述においては、無線センサ１０が異常を検出したとき、これを無線ゲートウェイ２０に送信するようにしたが、異常を検出しないときでも、タイマにより定まる一定時間ごとに無線センサ１０から無線ゲートウェイ２０に問い合わせなどを送信し、その送信に対して無線ゲートウェイ２０から警戒の解除を指示する「警戒解除コマンド」を送信したり、あるいは確認応答ACKが送信されてことを検出することにより、警戒の解除を検知することもできる。
【００４０】
さらに、上述においては、通報装置３０は、無線ゲートウェイ２０から通知されてきた情報にしたがって、あらかじめ設定されている通報先に電話回線４０などを通じて異常を通報するとしたが、構内などに設置されたスピーカや非常ベルなどにより異常を通報するものであってもよい。
【図面の簡単な説明】
【００４１】
【図１】この発明の一形態を示す系統図である。
【図２】この発明を説明するための系統図である。
【符号の説明】
【００４２】
１０…無線センサ、１１…センサ部、１２…制御回路、１４…送受信回路、１５…電源回路、２０…無線ゲートウェイ、３０…通報装置、３１…警戒スイッチ、４０…電話回線
【図１】
2005190033.tif 000003
【図２】
2005190033.tif 000004